(57)【特許請求の範囲】
【請求項１】
注射剤容器の外面に貼付けられる注射剤容器用ラベルにおいて、
ラベルの他の部分及び注射剤容器から分離可能とされ且つ把持部を有する複数の分離片が備えられ、
各分離片の周囲に、各分離片をラベルの他の部分及び他の分離片から分離させるための分離用ミシン目が形成され、
分離片の一つに、商品名を表示する商品名表示部が備えられ、
分離片の他の一つに、データが記入可能とされたデータ記入部が備えられた注射剤容器用ラベル。
【請求項２】
分離片に、分離片であることを示す注記手段が備えられた請求項１記載の注射剤容器用ラベル。
【請求項３】
把持部が他の部分よりも外方に突出する請求項１又は２記載の注射剤容器用ラベル。
【請求項４】
把持部が他の部分よりも外方に突出しない請求項１又は２記載の注射剤容器用ラベル。
【請求項５】
開口部が形成され、
開口部の上方に把持部が配置された請求項１又は２記載の注射剤容器用ラベル。
【請求項６】
分離片が並設され、
隣接する分離片間に、各分離片を隣接する分離片から分離させるための分離用ミシン目が形成された請求項１〜５の何れかに記載の注射剤容器用ラベル。
【請求項７】
各分離片が他の分離片から離間している請求項１〜５の何れかに記載の注射剤容器用ラベル。
【請求項８】
注射剤容器が、外筒内に注射剤が封入されたプレフィルドシリンジとされ、
ラベルが外筒に巻付けられた請求項１〜７の何れかに記載の注射剤容器用ラベル。
【請求項９】
横方向が外筒の軸心方向とされ、
データ記入部が横方向に配置された請求項８記載の注射剤容器用ラベル。
【請求項１０】
外筒への貼付時に、外筒における、データ記入部に記入される文字の下方向に該当する周方向に、データ記入部、注射剤容器内の注射剤の量を示す量測定手段及び商品名を表示する商品名表示部が、上記の順で配置される請求項９記載の注射剤容器用ラベル。
【請求項１１】
データ記入部、量測定手段及び商品名表示部の少なくとも各一つの外筒の周方向に関する長さが、外筒の周方向全長の４２％以内とされた請求項１０記載の注射剤容器用ラベル。
【請求項１２】
量測定手段が目盛りとされた請求項１０又は１１記載の注射剤容器用ラベル。
【請求項１３】
透明とされて、
上面に識別コードが印刷され、
注射剤容器への貼付時に識別コードの下方に配置され且つ識別コードが印刷される面とは異なる面に、識別コードの印刷部分以外を構成する地色とされる不透明な地色印刷部が形成された請求項１〜１２の何れかに記載の注射剤容器用ラベル。
【請求項１４】
透明とされて、
外筒への貼付時に、ラベルの端部がオーバーラップし、
このオーバーラップ部の下側部分の印刷部分が、オーバーラップ部の上側部分を介して、視認可能とされた請求項８〜１２の何れかに記載の注射剤容器用ラベル。
【請求項１５】
オーバーラップ部の上側部分に識別コードが印刷され、
オーバーラップ部の下側部分に、識別コードとオーバーラップする地色印刷部が印刷された請求項１４記載の注射剤容器用ラベル。
【請求項１６】
ラベルが、注射剤容器における、ラベルの貼付部分を光から遮蔽する遮光ラベルとされた請求項１〜１２の何れかに記載の注射剤容器用ラベル。
【請求項１７】
請求項１〜１６の何れかに記載の注射剤容器用ラベルが備えられた注射剤容器。
【請求項１８】
請求項１〜１６の何れかに記載の注射剤容器用ラベルが備えられたプレフィルドシリンジ。
【発明の詳細な説明】
【技術分野】
【０００１】
本発明は注射剤容器用ラベル、注射剤容器及びプレフィルドシリンジに関する。
【背景技術】
【０００２】
医療現場では、合理化、医療過誤対策等の理由から、外筒内に注射剤が予め封入されたプレフィルドシリンジが採用されることがある。このプレフィルドシリンジでは、外筒内に薬剤が予め封入されており、これにより、シリンジに薬剤を吸引させたりする必要がなくなると共に、薬剤を間違える可能性も低くなる利点がある。
【０００３】
ところで、プレフィルドシリンジの外筒には、商品名等を記載したラベルが貼付けられているが、医療過誤対策の理由から、このラベルに、データ記入部を設け、このデータ記入部に、これから注射を行う患者名や患者の部屋番号等の各種データを油性ペン、ボールペン等の筆記具で記入可能とする場合がある。
【０００４】
この場合には、プレフィルドシリンジを廃棄する際に、患者の個人情報を保護するために、データ記入部のデータを抹消処理する必要がある。然しながら、従来においては、ラベルのデータ記入部を、ラベルの他の部分やプレフィルドシリンジから容易に分離させることができなかったのが実情である。そのため、従来においては、データ記入部のデータを有機溶剤等で消したり、或いは、データ記入部をラベルの他の部分やプレフィルドシリンジから無理やり引きちぎって、シュレッダーで処理したりしていた。即ち、従来においては、データ記入部に記入されたデータの面倒な抹消処理を行う必要があった。
【発明の開示】
【発明が解決しようとする課題】
【０００５】
解決しようとする課題は、データ記入部に記入されたデータの面倒な抹消処理を行う必要があった点である。
【課題を解決するための手段】
【０００６】
本発明は、上記課題を解決できる注射剤容器用ラベル、注射剤容器及びプレフィルドシリンジを提供することを目的とし、その目的を達成するために、本発明の注射剤容器用ラベルの特徴とするところは、注射剤容器の外面に貼付けられる注射剤容器用ラベルにおいて、ラベルの他の部分及び注射剤容器から分離可能とされ且つ把持部を有する複数の分離片が備えられ、各分離片の周囲に、各分離片をラベルの他の部分及び他の分離片から分離させるための分離用ミシン目が形成され、分離片の一つに、商品名を表示する商品名表示部が備えられ、分離片の他の一つに、データが記入可能とされたデータ記入部が備えられた点にある。
尚、分離片に、分離片であることを示す注記手段が備えられることもある。
更に、把持部が他の部分よりも外方に突出することもある。
又、把持部が他の部分よりも外方に突出しないこともある。
更に、開口部が形成され、開口部の上方に把持部が配置されることもある。
又、分離片が並設され、隣接する分離片間に、各分離片を隣接する分離片から分離させるための分離用ミシン目が形成されることもある。
更に、各分離片が他の分離片から離間していることもある。
又、注射剤容器が、外筒内に注射剤が封入されたプレフィルドシリンジとされ、ラベルが外筒に巻付けられることもある。
更に、横方向が外筒の軸心方向とされ、データ記入部が横方向に配置されることもある。
又、外筒への貼付時に、外筒における、データ記入部に記入される文字の下方向に該当する周方向に、データ記入部、注射剤容器内の注射剤の量を示す量測定手段及び商品名を表示する商品名表示部が、上記の順で配置されることもある。
更に、データ記入部、量測定手段及び商品名表示部の少なくとも各一つの外筒の周方向に関する長さが、外筒の周方向全長の４２％以内とされることもある。
又、量測定手段が目盛りとされることもある。
更に、透明とされて、上面に識別コードが印刷され、注射剤容器への貼付時に識別コードの下方に配置され且つ識別コードが印刷される面とは異なる面に、識別コードの印刷部分以外を構成する地色とされる不透明な地色印刷部が形成されることもある。
又、透明とされて、外筒への貼付時に、ラベルの端部がオーバーラップし、このオーバーラップ部の下側部分の印刷部分が、オーバーラップ部の上側部分を介して、視認可能とされることもある。
更に、オーバーラップ部の上側部分に識別コードが印刷され、オーバーラップ部の下側部分に、識別コードとオーバーラップする地色印刷部が印刷されることもある。
又、ラベルが、注射剤容器における、ラベルの貼付部分を光から遮蔽する遮光ラベルとされることもある。
更に、本発明の注射剤容器及びプレフィルドシリンジの特徴とするところは、上記注射剤容器用ラベルが備えられた点にある。
【発明の効果】
【０００７】
本発明によれば、データが記入されたデータ記入部を備える分離片をラベルから容易に分離できて、データ記入部に記入されたデータの面倒な抹消処理を行う必要がないと共に、このデータ記入部を備えた分離片を、例えば、患者のカルテ等に貼付けるようにすれば、患者に対する治療行為をカルテ等に容易に記録できる。
又、把持部を把持して、分離片に力を加えれば、分離片をラベルから容易に分離できる。
更に、商品名と患者の氏名等を別個の分離片に配置すれば、商品名を表示した分離片を患者のカルテ等に貼付け、患者の氏名等が記入された分離片をシュレッダー等で破砕すれば、商品名と患者の氏名等が同時に流出することを防止できると共に、患者に投与した商品名をカルテ等に容易に記録できる。
請求項４記載の発明によれば、把持部がラベルの取扱に支障を及ぼす惧れを少なくできる。
請求項５記載の発明によれば、把持部がラベルの取扱に支障を及ぼす惧れを少なくできると共に、把持部が浮いた状態となるので、把持部を容易に把持できる。又、把持部が弱粘着とされる場合もあるが、周囲に基材がないため、把持部を容易に把持できる。
請求項１０記載の発明によれば、横向きのプレフィルドシリンジを医療器具に設置する際に、量測定手段を術者に正対させれば、術者が、データ記入部に記入されたデータ、量測定手段及び商品名表示部を無理なく容易に読み取ることができて、注射する患者を間違ったり、又は、プレフィルドシリンジを取り違えたり、或いは、注射剤の内容量や投与量を間違ったりする惧れを少なくでき、医療過誤の発生の惧れを少なくできる。
請求項１３又は１５記載の発明によれば、地色印刷部を識別コードに接触させずに印刷しているので、印刷能力の限界を考慮する必要がなく、識別コードを小さくできる。
請求項１６記載の発明によれば、遮光ラベルにより、医療容器の内容物が光により劣化することを改善できる。
【発明を実施するための最良の形態】
【０００８】
〔実施の形態の第１例〕
以下、本発明をプレフィルドシリンジに適用した実施の形態の第１例を図１〜図５の図面に基づき説明する。図１及び図２はプレフィルドシリンジ１を示し、このシリンジ１にラベル２が貼付けられている。
【０００９】
プレフィルドシリンジ１は、外筒４と、プランジャ本体５Ａとガスケット５Ｂから成るプランジャ５と、ゴム栓６等を有する。外筒４及びプランジャ本体５Ａは、比較的硬質の合成樹脂、例えば、ポリプロピレンにより一体形成されて、透明、又は、半透明とされている。外筒４は、その略全体を構成し且つ軸心方向に関して一定径とされた本体８と、本体８から軸心方向前方に突設され且つ本体８よりも小径とされた注射針接続部９と、本体８の基端部に一体形成されたフランジ部１０を有する。本体８の先端部及び注射針接続部９内には、予め、注射液等の遮光が必要な薬剤（注射剤、造影剤、診断薬、液剤）１１が封入されている。注射針接続部９は、着脱自在なゴム栓６により開放可能に閉塞され、注射針等が接続される。プランジャ５は外筒４内にその基端側開口から軸心方向に摺動自在に挿入されるもので、プランジャ本体５Ａの先端部に、ゴム等から成るガスケット５Ｂが備えられて、外筒４内面に当接している。ガスケット５Ｂの先端部は、軸心方向前方に突出する略円錐形状とされて、プランジャ５の先端部の外観形状を構成している。
【００１０】
図４にも示すように、ラベル２は、プレフィルドシリンジ１の外筒４における、注射剤１１の封入部分及びこれに隣接する基部側の一部に全周にわたって巻付けられて、貼付けられ、上記部分を全周にわたって覆被している。図３に示すように、ラベル２の横方向Ｘが外筒４の軸心方向とされ、ラベル２の縦方向Ｙが外筒４の周方向とされている。ラベル２の横方向両端部は、外筒４への貼付時に、オーバーラップするオーバーラップ部とされている。尚、ラベル２を、遮光を必要としない注射液等のプレフィルドシリンジ１の外筒４に巻付ける場合、ラベル２がオーバーラップ部を有さず、窓部を有することもある。
【００１１】
ラベル２の縦方向中間部における、右側部分の一部は、他の部分から分離可能とされた分離部１３とされている。そして、図２に示すように、上記分離部１３を分離することで、ラベル２に、窓部（開放部、開口部、開放部）１４が形成される。分離部１３を分離可能とするための分離手段として、分離部１３とその隣接部間には、分離用ミシン目１５が配設されている。尚、分離手段として、分離用ミシン目１５を採用したので、分離手段を容易に構成できる。分離部１３における、横方向一端部、即ち、右端部は、他の部分よりも横方向Ｘ（右方向）に突出する把持部１３Ａとされている。この把持部１３Ａを把持して、分離部１３を引張ることにより、分離用ミシン目１５が破断して、分離部１３が他の部分から分離される。把持部１３Ａは外筒４の基端部側に配置されるが、外筒４の先端部側に配置されることもある。尚、把持部１３Ａを分離部１３とは別体として、分離部１３の下面に貼付けて、外方に突出させることもある。
【００１２】
図５にも示すように、ラベル２は、基材１６と、粘着剤（粘着層、接着剤、接着層）１７を有する。
【００１３】
基材１６はラベル２を主構成するもので、透明、半透明、又は、不透明とされており、ポリプロピレン等のプラスチック材料等が使用される。基材１６の上面の必要箇所は、部分的に印刷されており、これにより、法規的に定められた事項やその他の事項、即ち、商品名表示部１９、用法等表示部２０、データ表示部２１、データ表示部用説明部２２、数値付きの目盛り２３、注意書き２４、識別コード２５、データ記入部２６、データ記入部用説明部２７、矢印２８、アイマーク２９等がラベル２上に表示される。
【００１４】
商品名表示部１９は、プレフィルドシリンジ１の商品名を表示するもので、ラベル２の上部及び分離部１３の上部に配置されている。
【００１５】
用法等表示部２０は、プレフィルドシリンジ１の用法、内容量、注意事項、製造販売業者、販売業者名等を表示するもので、ラベル２における、分離部１３を除く縦方向Ｙの中間部及び分離部１３における、商品名表示部１９の下方に配置されている。
【００１６】
データ表示部２１は、製造番号や使用期限等が表示されるもので、ラベル２における、分離部１３の左側に配置されている。そして、プレフィルドシリンジ１の製造時に、レーザー光の照射によって、データ表示部２１が部分的に溶融除去されることにより、基材１６が部分的に露出して、ロット番号や製造年月日等が形成、即ち、印字される。尚、プレフィルドシリンジ１の製造時に、インクジェット、インクリボン等の熱転写によって、印字されることもある。
【００１７】
データ表示部用説明部２２は、データ表示部２１に表示された各種データを説明するもので、ラベル２における、データ表示部２１の左側に配置されており、図例では、データ表示部用説明部２２に、「製造番号：」、「使用期限：」が使用されている。
【００１８】
数値付きの目盛り２３は、量測定手段として例示されて、注射剤１１の内容量、投与量を表示するもので、ラベル２の下部に横方向に配置されており、目盛り２３は縦方向Ｙの直線状とされている。
【００１９】
注意書き２４は、個人情報の保護のために、プレフィルドシリンジ１の使用後の分離部１３の分離を喚起するもので、分離部１３の上端部上に表示されており、例えば、注意書き２４として、「個人情報保護のため使用後この部分をはがしとって下さい。」等が記載される。
【００２０】
識別コード２５は、プレフィルドシリンジ１の管理等に使用されるもので、分離部１３の用法等表示部２０の下方に配置されており、識別コード２５として、例えば、ＱＲコード等の２次元識別コード、ＪＡＮ、ＥＡＮ−１２８等のバーコード等が使用される。
【００２１】
データ記入部２６は、分離部１３の下部に横方向に配置されると共に、白色インキ等により構成されて、患者名や患者の部屋番号等の各種データが油性ペン、ボールペン等の各種筆記具により記入可能とされており、図例では、患者名が記入される。
【００２２】
データ記入部用説明部２７は、データ記入部２６に記入される各種データを説明するもので、ラベル２の分離部１３の左側における、データ記入部２６の左側に配置されており、図例では、データ記入部用説明部２７として、「お名前：」が使用されている。
【００２３】
矢印２８は、分離部１３の注記手段として例示されて、ラベル２のどの部分を分離すればよいかを容易に分かるようにするもので、分離部１３の把持部１３Ａ及びその左側部分上に配置されている。尚、注記手段として、分離部１３や把持部１３Ａを他の部分とは異なる色としたり、又は、分離部１３に、「この部分を分離して下さい。」との注記文字を記載したり、或いは、分離部１３にハッチングを付すこともある。
【００２４】
アイマーク２９は、外筒４にラベル２を貼付ける際等に、目安等とされるものである。
【００２５】
尚、図１及び図４等に示すように、外筒４にラベル２を貼付けた際に、外筒４における、データ記入部２６に記入される文字の下方向（図３のラベル２の下方向）に該当する周方向に、データ記入部２６、目盛り２３及び商品名表示部１９が、上記の順で配置されるように構成されると共に、これらデータ記入部２６、目盛り２３及び商品名表示部１９の周方向に関する長さＬが、外筒４の周方向全長の約４２％以内とされている。この「約４２％以内」を換言すると、下記のように表現される。即ち、データ記入部２６、目盛り２３及び商品名表示部１９の周方向各端部と外筒４の中心を結ぶ２本の直線３０，３１のなす角度θが１５２°以内とされている。これにより、横向きのプレフィルドシリンジ１をシリンジポンプ等の医療器具に設置する際に、目盛り２３を真正面に向ければ、目盛り２３の上下にデータ記入部２６及び商品名表示部１９が、それぞれ、上方斜め前方、又は、下方斜め前方を向いた状態で配置される。それ故、医療器具及びプレフィルドシリンジ１の前方にいる術者が、データ記入部２６に記入されたデータ、目盛り２３、商品名表示部１９を無理なく容易に読み取ることができて、注射する患者を間違ったり、又は、プレフィルドシリンジ１を取り違えたり、或いは、注射剤１１の内容量や投与量を間違ったりする惧れを少なくでき、医療過誤の発生の惧れを少なくできる。
【００２６】
基材１６の下面における、識別コード２５の下方には、識別コード２５の印刷部分以外を構成する地色とされる不透明な地色印刷部３３が印刷により形成されて、不透明な白色インキにより構成されている。このように、地色印刷部３３を設けた理由は下記の通りである。即ち、ラベル２への法的記載事項等の増加に伴って、識別コード２５の縮小化が要望されている。ところで、基材１６が透明な場合には、従来においては、識別コード２５の印刷時に、識別コード２５の印刷部分以外を構成する地色とされる白色インキと、識別コード２５とされる黒色インキ等の２色のインキを積層している。しかし、印刷能力の限界のために、識別コード２５が小さすぎると、印刷の掠れ等により、白色インキ上に識別コード２５を明瞭に印刷しにくい。そのため、識別コード２５をある程度大きく表示しないと、識別コード２５の読み取り精度を十分なものとできない。そこで、白色インキからなる地色印刷部３３を、基材１６の上面ではなく、基材１６の下面における、識別コード２５の下方に、識別コード２５に接触させずに印刷している。これにより、上記のような印刷能力の限界を考慮する必要がなく、識別コード２５を小さくできる。尚、必要に応じて、地色印刷部３３を構成するインキとして、白色インキ以外のインキを使用することもある。
【００２７】
粘着剤１７は、基材１６の下面における、地色印刷部３３を除く（略）全面にわたって配設され、この粘着剤１７により、ラベル２は外筒４に貼付可能とされている。尚、分離部１３を容易に分離できるように、分離部１３及びこれに隣接する部分の下方の粘着剤１７に対しては、その粘着力を弱めたり、全く粘着力がないようにする加工がされて、所謂、「糊殺し面」（糊殺し部、弱粘着面、弱粘着部、無粘着面、無粘着部）１７Ａが形成されている。尚、分離部１３の下方に粘着剤１７を配設しない場合もある。又、粘着剤１９が、基材１６裏面の一部分のみに配設されることもある。
【００２８】
上記のように構成した実施例によれば、プレフィルドシリンジ１の使用時において、横向きのプレフィルドシリンジ１をシリンジポンプ等の医療器具に設置する際には、目盛り２３を真正面に向けて、設置すれば、目盛り２３の上下にデータ記入部２６及び商品名表示部１９が、それぞれ、配置されると共に、これらを無理なく容易に読み取ることができて、注射する患者を間違ったり、又は、プレフィルドシリンジ１を取り違えたりする惧れが少なく、医療過誤の惧れを少なくできる。
【００２９】
次に、図２に示すように、ラベル２から分離部１３を分離する。この際、把持部１３Ａを把持して、分離部１３を引張れば、分離部１３とこれに縦方向Ｙに隣接する部分間の分離用ミシン目１５が容易に破断するので、患者名が記入されたデータ記入部２６を備える分離部１３を容易に分離させることができる。そして、分離した分離部１３を患者のカルテ等に貼付けるようにすれば、プレフィルドシリンジ１に貼付けられたラベル２には、患者名が記入されたデータ記入部２６が残らない。従って、従来のように、データ記入部２６に記入された患者名等の各種データの面倒な抹消作業を行う必要がないと共に、このデータ記入部２６を備えた分離部１３を、例えば、患者のカルテ等に貼付けるようにすれば、患者に対する治療行為をカルテ等に容易に記録できる。
【００３０】
そして、患者に注射剤の投与を行うのであるが、この際、ラベル２の目盛り２３により、注射剤の内容量及び投与量を容易に視認できる。
【００３１】
〔実施の形態の第２例〕
図６〜図８は本発明の実施の形態の第２例を示し、ラベル２の縦方向Ｙの長さが第１例よりも長くされて、プレフィルドシリンジ１にラベル２を巻付けた際に、ラベル２の縦方向Ｙの両端部が大きくオーバーラップ（重合）するようにされている。
【００３２】
又、ラベル２の上部における、右側端部を除く部分が、分離部１３とされて、分離部１３の右端部には、把持部１３Ａが上方突出状に形成されている。分離部１３の上部の左側には、データ記入部２６が配置されると共に、その右側には、識別コード２５が配置され、又、その下部には、商品名表示部１９及び用法等表示部２０が配置されている。
【００３３】
ラベル２の分離部１３の下方には、用法等表示部２０、商品名表示部１９、用法等表示部２０、データ表示部２１、データ表示部用説明部２２、注意書き２４、地色印刷部３３、目盛り２３が配置されている。データ表示部用説明部２２、データ表示部２１及び注意書き２４は、上記の順で、左から右に並設され、注意書き２４の下方に、地色印刷部３３が配置されている。
【００３４】
尚、図６に示すように、プレフィルドシリンジ１にラベル２を巻付けた際には、分離部１３により目盛り２３が隠されるが（覆被されるが）、データ記入部２６及び商品名表示部１９を正面に向ければ、その正面にいる術者は目盛り２３、データ記入部２６及び商品名表示部１９を容易に視認できる。又、データ表示部用説明部２２、データ表示部２１及び注意書き２４は、ラベル２のオーバーラップ部及びデータ記入部２６から周方向に離間した（データ記入部２６と周方向に連続する）箇所に位置するようにされて、容易に視認可能とされている。
【００３５】
更に、上記オーバーラップ部の上側部分には識別コード２５が位置し、下側部分には地色印刷部３３が位置して、識別コード２５にその下方側でオーバーラップ（重合）するようにされており、上記のように、プレフィルドシリンジ１にラベル２を貼付けた際に、識別コード２５を明瞭に読み取ることができるようにされている。尚、地色印刷部３３は識別コード２５よりも一回り大きくされており、これにより、プレフィルドシリンジ１にラベル２を貼付けた際に、ラベル２のオーバーラップ部の上下部分が若干ずれても、識別コード２５が地色印刷部３３から外筒４の軸心方向や周方向にはみ出さないようにされている。
【００３６】
〔実施の形態の第３例〕
図９は本発明の実施の形態の第３例を示し、第１例の変形例であって、分離部１３の把持部１３Ａがラベル２の他の部分よりも右方向に突出しておらず、把持部１３Ａの右端が、横方向Ｘに関して、ラベル２の他の部分の外周縁と同位置、又は、その内側に配置されている。これにより、把持部１３Ａがラベル２の取扱に支障を及ぼす惧れを少なくできる。
【００３７】
〔実施の形態の第４例〕
図１０は本発明の実施の形態の第４例を示し、第１例の変形例であって、分離部１３が、縦方向Ｙに並設された上部側の第１分離片４１と下部側の第２分離片４２から成る。両分離片４１，４２間には、各分離片４１，４２を分離可能とするための分離用ミシン目４３が横方向に形成される共に、各分離片４１，４２の右端部には、それぞれ、右方向に突出する把持部４１Ａ，４２Ａが形成されている。第１分離片４１には、商品名表示部１９、用法等表示部２０、識別コード２５が配置され、第２分離片４２には、データ記入部２６が配置されている。尚、分離部１３を３つ以上の分離片から構成することもある。
【００３８】
ところで、医療機関では、薬剤名と患者の氏名が同時に流出することが大きな問題である。しかし、上記構成例によれば、商品名表示部１９が記載された第１分離片４１と、患者の氏名等が記入される第２分離片４２がラベル２から別個に分離可能とされているので、第１分離片４１を患者のカルテ等に貼付け、第２分離片４２をシュレッダー等で破砕すれば、薬剤名と患者の氏名が同時に流出することを防止できると共に、患者に投与した薬剤名をカルテ等に容易に記録できる。
【００３９】
〔実施の形態の第５例〕
図１１は本発明の実施の形態の第５例を示し、第２例の変形例であって、第４例と同様に、分離部１３が、第１分離片４１と第２分離片４２から成るが、本例では、第２分離片４２が分離部の上部に配置されている。
【００４０】
〔実施の形態の第６例〕
図１２は本発明の実施の形態の第６例を示し、第１分離片４１がラベルの上部に配置され、第２分離片４２がラベルの下部に配置されている。第２分離片４２の右端部には、第２分離片４２の他の部分よりも上方に突出する把持部４２Ａが形成されると共に、ラベル２における、この把持部４２Ａと対応する部分には開口部４５が形成されている。これにより、把持部４２Ａが開口部４５の上方に位置して、浮いた状態となり、把持部４２Ａを容易に把持できるようにされている。又、把持部４２Ａが弱粘着とされる場合もあるが、周囲に基材がないため、把持部４２Ａを容易に把持できる。
【００４１】
尚、上記実施の形態では、量測定手段として目盛りを採用したが、その他のものを採用してもよい。又、上記実施の形態では、分離用ミシン目により分離手段が構成されているが、分離部を上下２重ラベルにより構成して、上側ラベルを分離部として、分離させるようにしてもよい。更に、本発明では、ラベルを透明としたが、ラベルを不透明な遮光ラベルとして、プレフィルドシリンジの外筒の覆被部分全体を光から遮蔽するようにしてもよい。又、上記実施の形態は、本発明をプレフィルドシリンジに適用したものであるが、本発明は、その他のアンプルやバイアル等の医療容器にも適用可能である。
【図面の簡単な説明】
【００４２】
【図１】本発明の実施の形態の第１例を示す側面図である。
【図２】図１の分離部を分離した状態を示す側面図である。
【図３】図１のラベルの平面図である。
【図４】図２のＡ−Ａ線矢視断面図である。
【図５】図３のＢ−Ｂ線矢視断面図である。
【図６】本発明の実施の形態の第２例を示す側面図である。
【図７】図６の分離部を分離した状態を示す側面図である。
【図８】図６のラベルの平面図である。
【図９】本発明の実施の形態の第３例を示すラベルの平面図である。
【図１０】本発明の実施の形態の第４例を示すラベルの平面図である。
【図１１】本発明の実施の形態の第５例を示すラベルの平面図である。
【図１２】本発明の実施の形態の第６例を示すラベルの平面図である。
【符号の説明】
【００４３】
１  プレフィルドシリンジ（注射剤容器）
２  ラベル
４  外筒
１１  注射剤
１３  分離部
１３Ａ，４１Ａ，４２Ａ  把持部
１５，４３  分離用ミシン目
１９  商品名表示部
２３  目盛り
２５  識別コード
２６  データ記入部
２８  矢印（注記手段）
３３  地色印刷部
４１，４２  第１・第２分離片
４５  開口部
Ｌ  周方向に関する長さ
【図１】
0004760399.tif 000002
【図２】
0004760399.tif 000003
【図３】
0004760399.tif 000004
【図４】
0004760399.tif 000005
【図５】
0004760399.tif 000006
【図６】
0004760399.tif 000007
【図７】
0004760399.tif 000008
【図８】
0004760399.tif 000009
【図９】
0004760399.tif 000010
【図１０】
0004760399.tif 000011
【図１１】
0004760399.tif 000012
【図１２】
0004760399.tif 000013